(57)【要約】【課題】家庭や職場で日常使用している椅子に容易に着脱することができ、マッサージを要する位置に適正に位置させることができるマッサージ機を提供する。【解決手段】マッサージ機１０は、４つの揉み玉６を有する本体４と、本体４を覆うカバー５と、椅子に取り付けるための取り付けベルト２と、を備えている。カバー５は袋状に形成されている。取り付けベルト２は、帯状に形成されており、中央部に、カバー５で覆われた本体４を収容するための収容部２ａを有している。収容部２ａの両側には、椅子に巻き付けるための巻き付け部２ｂが配されている。収容部２ａの上部には、背もたれに対する収容部２ａの高さ位置を調整するための吊りベルト２ｃの一側端部が固定されている。吊りベルト２ｃは帯状に形成されている。巻き付け部２ｂを背もたれに巻き付け、吊りベルト２ｃを背もたれの上部を介して背面側に掛け渡す。【選択図】図１
0003180766.tif 000002
【実用新案登録請求の範囲】
【請求項１】
椅子に着脱自在なマッサージ機であって、
複数の揉み玉を有する本体と、
前記本体を覆う被覆部材と、
前記被覆部材で覆われた本体を収容するための収容部と、前記収容部の両側に配され前記椅子に巻き付けるための巻き付け部と、前記収容部ないし前記巻き付け部に一側が固定され前記椅子の背もたれに吊り掛けるための紐ないし帯状の吊り掛け部とを有する取り付け部材と、
を備え、
前記取り付け部材は、前記吊り掛け部の他側部を前記巻き付け部に固定することにより前記背もたれに対する前記収容部の高さ位置を調整可能なことを特徴とするマッサージ機。
【請求項２】
前記取り付け部材は、前記収容部および巻き付け部が帯状または円環状に形成されていることを特徴とする請求項１に記載のマッサージ機。
【請求項３】
前記収容部および巻き付け部は、帯状であって、長手方向両端部に該両端部を相互に係止するための係止部を有することを特徴とする請求項２に記載のマッサージ機。
【請求項４】
前記収容部および巻き付け部は、円環状であって、少なくとも一部が伸縮性を有することを特徴とする請求項２に記載のマッサージ機。
【請求項５】
前記巻き付け部は、前記収容部に対して対称的に形成されており、幅方向の中心線に対し前記収容部から両側方向に縮幅されていることを特徴とする請求項２に記載のマッサージ機。
【請求項６】
前記取り付け部材は、前記吊り掛け部の他側部が、前記椅子に前記巻き付け部を巻き付けたときに、前記椅子の背もたれを介して前記収容部と対向する前記巻き付け部の位置に位置することを特徴とする請求項１に記載のマッサージ機。
【請求項７】
前記取り付け部材の巻き付け部には、前記椅子の背もたれを介して前記収容部と対向する位置に、前記吊り掛け部の他側部を係止するためのコードストッパが取りつけられていることを特徴とする請求項６に記載のマッサージ機。
【請求項８】
前記取り付け部材は、前記吊り掛け部が複数本であることを特徴とする請求項１に記載のマッサージ機。
【請求項９】
前記取り付け部材は、前記収容部が一部に開口部を有する袋状に形成されていることを特徴とする請求項１に記載のマッサージ機。
【請求項１０】
前記被覆部材および取り付け部材は、ナイロン、ポリエステル、アクリル、ポリウレタン、レーヨン、綿、麻および絹から選択される１種または２種以上の編織生地で形成されていることを特徴とする請求項１に記載のマッサージ機。
【考案の詳細な説明】
【技術分野】
【０００１】
本考案は椅子に着脱自在なマッサージ機に係り、特に、日常使用している椅子に着脱自在なマッサージ機に関する。
【背景技術】
【０００２】
近年、肩こりや腰痛等の身体的疲労を解消ないし低減するためにマッサージを施す機会が増大している。マッサージを施すには、例えば、診療機関を訪れ専門の施術者からマッサージを受ける場合、専用の椅子型のマッサージ機を使用する場合、等がある。
【０００３】
診療機関でマッサージを受ける場合は、専門の施術者によるため、全身におよぶ十分なマッサージを受けることができる。ところが、診療機関に限られることで場所的な制約があるうえに、定められた時間内に限られているため、時間的な制約もある。一方、専用のマッサージ機では、ソファーのような大型のものが多く、家庭内にも設置可能なため、時間的な制約が少なくなり、肩、腰に限らず、首や足までも含めた全身を広範囲でマッサージすることができる。ところが、マッサージ機自体が大きく、重量もあり、持ち運びができないため、場所的な制約がある。
【０００４】
時間的、場所的な制約を解消するために、例えば、一般的な椅子に取りつけ、背中と首筋または肩とを同時に押圧することができる指圧器の技術が開示されている（特許文献１参照）。また、確実に把持することができ、肩や腰を押圧することができる携帯用マッサージ器具の技術が開示されている（特許文献２参照）。
【先行技術文献】
【特許文献】
【０００５】
【特許文献１】実用新案登録第３１４６３７７号公報
【特許文献２】実用新案登録第３０１２８６８号公報
【考案の概要】
【考案が解決しようとする課題】
【０００６】
しかしながら、特許文献１の技術では、背中や肩等の２箇所を同時に押圧することができるものの、椅子に取りつけると動かすことができず、位置が固定されてしまう。このため、腰や肩等のマッサージを施したい位置を適正に押圧することが難しい、という問題がある。一方、特許文献２の技術では、確実に把持することができるため、手が届く範囲、例えば、身体の前面側には効果的にマッサージを施すことができる。ところが、背中や腰では手が届きにくく力を加えにくいため、マッサージ効果が不十分になる、という問題がある。従って、簡単に持ち運びができるうえに、椅子への装脱着が容易で、マッサージを要する位置に適正にマッサージを施すことができるマッサージ機があれば、肩こりや腰痛に悩んでいる人達の悩み解消に有効となる。
【０００７】
本考案は上記事案に鑑み、家庭や職場で日常使用している椅子に容易に着脱することができ、マッサージを要する位置に適正に位置させることができるマッサージ機を提供することを課題とする。
【課題を解決するための手段】
【０００８】
上記課題を解決するために、本考案は、椅子に着脱自在なマッサージ機であって、複数の揉み玉を有する本体と、前記本体を覆う被覆部材と、前記被覆部材で覆われた本体を収容するための収容部と、前記収容部の両側に配され前記椅子に巻き付けるための巻き付け部と、前記収容部ないし前記巻き付け部に一側が固定され前記椅子の背もたれに吊り掛けるための紐ないし帯状の吊り掛け部とを有する取り付け部材と、を備え、前記取り付け部材は、前記吊り掛け部の他側部を前記巻き付け部に固定することにより前記背もたれに対する前記収容部の高さ位置を調整可能なことを特徴とする。
【０００９】
本考案では、マッサージ機の使用時に、取り付け部材の収容部に被覆部材で覆われた本体を収容する。本体が収容された取り付け部材の巻き付け部を椅子の背もたれに巻き付けるとともに、収容部ないし巻き付け部に一側が固定された吊り掛け部を椅子の背もたれに吊り掛けるようにして収容部の高さ位置を調整する。
【００１０】
この場合において、取り付け部材の収容部および巻き付け部が帯状または円環状に形成されていてもよい。このとき、収容部および巻き付け部が、帯状であって、長手方向両端部に該両端部を相互に係止するための係止部を有することができる。また、収容部および巻き付け部が、円環状であって、少なくとも一部が伸縮性を有することができる。巻き付け部では、収容部に対して対称的に形成されており、幅方向の中心線に対し収容部から両側方向に縮幅されていてもよい。また、取り付け部材は、吊り掛け部の他側部が、椅子に巻き付け部を巻き付けたときに、椅子の背もたれを介して収容部と対向する巻き付け部の位置に位置するようにすることができる。このとき、取り付け部材の巻き付け部には、椅子の背もたれを介して収容部と対向する位置に、吊り掛け部の他側部を係止するためのコードストッパが取りつけられているようにしてもよい。また、取り付け部材の吊り掛け部を複数本とすることができる。取り付け部材では、収容部が一部に開口部を有する袋状に形成されているようにすることができる。被覆部材および取り付け部材が、ナイロン、ポリエステル、アクリル、ポリウレタン、レーヨン、綿、麻および絹から選択される１種または２種以上の編織生地で形成されているようにしてもよい。
【考案の効果】
【００１１】
本考案によれば、取り付け部材が巻き付け部および吊り掛け部を有するため、家庭や職場で日常使用している椅子に容易に着脱することができ、本体を収容した収容部の高さ位置を調整することでマッサージを要する位置に本体を適正に位置させることができる、という効果を得ることができる。
【図面の簡単な説明】
【００１２】
【図１】本考案を適用した実施形態のマッサージ機であって、帯状の取り付けベルトの係止部に面ファスナを用いたマッサージ機を示し、（Ａ）は正面図、（Ｂ）は背面図である。
【図２】カバーに収容された状態の本体を示す平面図であり、（Ａ）は４つの揉み玉を有する場合、（Ｂ）は２つの揉み玉を有する場合、（Ｃ）は６つの揉み玉を有する場合をそれぞれ示す。
【図３】本考案を適用した他の態様のマッサージ機であって、帯状の取り付けベルトの係止部にバックルを用いたマッサージ機を示し、（Ａ）は正面図、（Ｂ）は背面図である。
【図４】本考案を適用したさらに他の態様のマッサージ機であって、円環状の取り付けベルトを有するマッサージ機を後方から見た斜視図である。
【図５】椅子にマッサージ機を取りつけた状態を示し、（Ａ）は前方から見た斜視図、（Ｂ）は後方から見た斜視図である。
【考案を実施するための形態】
【００１３】
以下、図面を参照して、本考案を適用したマッサージ機の実施の形態について説明する。
【００１４】
（構成）
図１（Ａ）、（Ｂ）に示すように、本実施形態のマッサージ機１０は、複数の揉み玉６を有する本体４と、本体４を覆う被覆部材としてのカバー５と、椅子に取り付けるための取り付け部材としての取り付けベルト２と、を備えている。
【００１５】
本体４は、本例では、ほぼ同じ大きさの球状に形成された４つの揉み玉６を有して構成されている。本体４は、揉み玉６が振動、回転等のマッサージ動作をするように構成されている。すなわち、図２（Ａ）に示すように、４つの揉み玉６は、同心円状の回転動作（図２（Ａ）の矢印ａ方向）、それぞれが横方向（矢印ｂ方向）または縦方向（矢印ｃ方向）の振動動作をすることができる。また、使用者の身体を押圧する方向（不図示）の振動動作をすることも可能である。これらの動作は、図示を省略した駆動機構により制御することができる。この駆動機構としては、特に制限されるものではなく、従来公知のものを用いることができる。例えば、図示を省略した駆動機構は、電力を供給するための外部電源、電源のオンオフ操作や揉み玉６の動作切替操作を行うための操作部、揉み玉６を動作させるモータの駆動を制御するための制御部、等を有して構成することができる。
【００１６】
カバー５は、袋状に形成されており、袋状の一部に本体４を入出するための図示しない開口が形成されている。カバー５に形成された開口は、ファスナや面ファスナ等で閉じることができるように構成されている。換言すれば、カバー５は、本体４を保護するように本体４の全体を覆うことができる。カバー５は、合成繊維や天然繊維の編織生地で形成することができる。具体的な材質としては、ナイロン、ポリエステル、アクリル、ポリウレタン、レーヨン、綿、麻および絹から選択される１種または２種以上を挙げることができる。また、合成樹脂製のシート材で形成するようにしてもよい。このような編織生地やシート材の厚みを調整することにより、クッション性を有するように形成することも可能である。
【００１７】
図１に示すように、取り付けベルト２は、本体４を収容するための収容部２ａと、椅子の背もたれに巻き付けるための巻き付け部２ｂと、椅子の背もたれに吊り掛けるための吊り掛け部としての吊りベルト２ｃとを有している。収容部２ａおよび巻き付け部２ｂは、帯状または円環状に形成することができるが、本例では、帯状に形成されている。収容部２ａは、取り付けベルト２の中央部に配されており、カバー５で覆われた本体４を収容するために袋状に形成されている。収容部２ａの上部（巻き付けベルト２の上縁部分）には、本体４を入出するための図示を省略した開口部を有している。巻き付け部２ｂは、収容部２ａの両側に配されており、収容部２ａに対して対称的に形成されている。巻き付け部２ｂは、幅方向の中心線Ｌに対して、収容部２ａから両側方向に向けて縮幅している。
【００１８】
収容部２ａ、巻き付け部２ｂは、合成繊維や天然繊維の編織生地で形成することができる。具体的な材質としては、ナイロン、ポリエステル、アクリル、ポリウレタン、レーヨン、綿、麻および絹から選択される１種または２種以上を挙げることができる。また、巻き付け部２ｂは、使用時に椅子に巻き付けられることから、使用中のズレを抑制するために、伸縮性を有するように形成することもできる。編織生地の編織組織により伸縮性を有するように形成してもよく、ゴム等の伸縮性の素材を用いるようにすることも可能である。
【００１９】
吊りベルト２ｃは、椅子の背もたれに吊り掛ける役割を果たすものであり、本例では、２本で構成されている。２本の吊りベルト２ｃは、それぞれ、帯状に形成されており、一側端部が収容部２ａの上縁部に固定されている。吊りベルト２ｃは、合成繊維や天然繊維の編織生地で形成することができる。具体的な材質としては、ナイロン、ポリエステル、アクリル、ポリウレタン、レーヨン、綿、麻および絹から選択される１種または２種以上を挙げることができる。吊りベルト２ｃは、椅子に吊り掛けたときに収容部２ａの高さ位置を調整する機能を有するため、上述した巻き付け部２ｂと異なり、非伸縮性に形成されている。
【００２０】
吊りベルト２ｃは、収容部２ａを椅子の座面上に載置し、背もたれの上部を介して背面側に掛け渡したときに、背面側の座面の高さ位置に達する長さを有している。すなわち、吊りベルト２ｃの他側端部は、椅子に巻き付け部２ｂを巻き付けたときに、椅子の背もたれを介して収容部２ａと対向する位置に位置している。吊りベルト２ｃの他側端部は、後述する係止部３ｂに取りつけられたコードストッパ９に係止されている。コードストッパ９には、従来公知のいずれのものも使用することができるが、本例では、２本の吊りベルト２ｃを引き揃えて係止することができるように構成されている。吊りベルト２ｃをコードストッパ９に係止する位置、すなわち、吊りベルト２ｃの収容部２ａからコードストッパ９までの長さを調整することで、椅子の背もたれに対する収容部２ａ、つまり、本体４の高さ位置を調整することができる。
【００２１】
また、図１に示すように、取り付けベルト２の両端部（両側の巻き付け部２ｂの端部）には、それぞれ、両端部を相互に係止するための係止部３ａ、３ｂを有している。係止部３ａ、３ｂを相互に係止するための手段としては、特に制限されるものではないが、本例では、面ファスナが用いられている。すなわち、係止部３ａには表面にフック状突起を有する矩形状の面フック８ａが固着されており、係止部３ｂには表面にループ状突起を有する矩形状の面ループ８ｂが固着されている。面フック８ａの表面と面ループ８ｂの表面とを重ね合わせることで、フック状突起とループ状突起とが噛み合わされ、巻き付け部２ｂの両側の端部同士を相互に係止することができる。また、係止部３ｂの面ループ８ｂが固着された面と反対の面には、吊りベルト２ｃを係止するためのコードストッパ９が取りつけられている。
【００２２】
マッサージ機１０では、例えば、以下の手順でマッサージを施すことができる。本体４を袋状のカバー５で覆い、カバー５で覆われた本体４を取り付けベルト２の収容部２ａに収容する。本体４は、１つでもよく、２つ以上を並べて使用することもできる。図５（Ａ）、（Ｂ）に示すように、取り付けベルト２の巻き付け部２ｂを、収容部２ａが前側（座面側）に位置するように、椅子５０の背もたれに巻き付ける。椅子５０の背面側では、面フック８ａ、面ループ８ｂを重ね合わせ、取り付けベルト２の両端部、つまり、係止部３ａ、３ｂを相互に係止させる。吊りベルト２ｃを背もたれの上部を介して背面側に掛け渡し、端部をコードストッパ９に係止させる。コードストッパ９に対する吊りベルト２ｃの係止位置を調整することで、椅子の背もたれに対する収容部２ａの高さ位置を調整する。使用者は、以上のようにして椅子５０にマッサージ機１０を取り付けた後、椅子５０に腰掛け、本体４を駆動させることでマッサージを施す。マッサージの終了後は、吊りベルト２ｃ、係止部３ａ、３ｂの係止状態を解除しマッサージ機１０を椅子から取り外す。
【００２３】
（作用等）
次に、本実施形態のマッサージ機１０の作用等について説明する。
【００２４】
本実施形態のマッサージ機１０では、取り付けベルト２が、巻き付け部２ｂ、吊りベルト２ｃを有している。このため、図５に示したような形状の椅子５０に限らず、家庭や職場で日常使用される椅子に容易に着脱することができる。また、マッサージ機１０では、椅子に取り付けるときに吊りベルト２ｃの端部をコードストッパ９に係止させる。このとき、コードストッパ９に対する吊りベルト２ｃの係止位置を変えることで、椅子の背もたれに対する収容部２ａの高さ位置を調整することができる。これにより、使用者がマッサージを要する位置、例えば、肩、背中、腰等の位置に本体４を適正に位置させることができる。
【００２５】
また、本実施形態のマッサージ機１０では、本体４と、カバー５と、取り付けベルト２と、で構成されている。このため、従来ソファー等に組み込まれたマッサージ機と比べて、小型軽量化されている。これにより、持ち運びが容易となり、家庭や職場において、短時間で椅子に取り付けて使用することができる。例えば、職場での休憩時間等にも容易にマッサージ効果を得ることができる。従って、家事や仕事による肩こりや腰痛等を適時に解消することに役立てることができる。
【００２６】
なお、本実施形態では、取り付けベルト２の両端部を相互に係止するために面ファスナを用いる例を示したが、本考案はこれに限定されるものではない。面ファスナ以外に、例えば、ボタンや紐等を用いるようにしてもよく、バックルを用いることも可能である。図３に示すように、マッサージ機２０は、取り付けベルト１２の係止部３ａ、３ｂに、相互に嵌合可能なバックル１８ａ、１８ｂがそれぞれ取りつけられている。バックル１８ａ、１８ｂを嵌合させることで、取り付けベルト１２の両端部を相互に係止することができる。この場合、取り付けベルト１２では、バックル１８ａ、１８ｂのそれぞれ近傍の巻き付け部１２ｂに吊りベルト１２ｃを係止するためのコードストッパ１９が取りつけられている。コードストッパ１９は、２本の吊りベルト１２ｃを１本ずつ係止することができるように構成されている。
【００２７】
また、本実施形態では、収容部２ａおよび巻き付け部２ｂを帯状に形成する例を示したが、本考案はこれに限定されるものではなく、円環状に形成することもできる。図４に示すように、マッサージ機３０では、収容部２２ａおよび巻き付け部２２ｂが円環状に形成されている。収容部２２ａの上部には２本の吊りベルト２２ｃが固定されており、巻き付け部２２ｂの収容部２２ａと対向する位置にはコードストッパ９が取りつけられている。この場合、取り付けベルト２２は、椅子に取り付けることから、少なくとも巻き付け部２２ｂの一部が伸縮性を有するように形成することが好ましい。上述した取り付けベルト２と同様に、編織生地の編織組織により伸縮性を有するように形成してもよく、ゴム等の伸縮性の素材を用いるようにすることも可能である。
【００２８】
更に、本実施形態では、取り付けベルト２の収容部２ａを袋状とし、袋状の上縁部に、本体４を入出するための開口部を有するように形成する例を示したが、本考案はこれに限定されるものではない。収容部２ａとしては、例えば、取り付けベルト２にポケット状に形成することも可能である。２つ以上の本体４を使用することを考慮すれば、２つ以上のポケットを形成することもできる。また、係止部３ａ、３ｂ以外の収容部２ａ、巻き付け部２ｂの全体を袋状とすることもできる。
【００２９】
また更に、本実施形態では、本体４が４つの揉み玉６を有して構成される例を示したが、本発明はこれに限定されるものではなく、２〜８つの揉み玉６を有して構成するようにしてもよい。図２（Ｂ）に示すように、２つの揉み玉６を有して構成することができる。このようにすれば、本体４が小型化するため、１つの取り付けベルト２に複数の本体４を収容するようにして、２箇所以上の身体部位を同時にマッサージすることができる。また、図２（Ｃ）に示すように、６つの揉み玉６を有して構成することもできる。このようにすれば、背中等の広範囲の部位をマッサージすることができる。
【００３０】
更にまた、本実施形態では、マッサージ機１０を使用するときに、カバー５で覆われた本体４を収容部２ａに収容し、椅子５０に取り付ける例を示したが、本考案はこれに制限されるものではない。例えば、取り付けベルト２を椅子に取り付けた後に、収容部２ａに本体４を収容するようにしてもよい。例えば、家庭の椅子と、職場の椅子との両方にそれぞれ別の取り付けベルト２を取り付けておき、使用時に本体４を収容するようにすることができる。このようにすれば、カバー５で覆われた状態の本体４のみを持ち運ぶことで、家庭、職場で容易にマッサージを施すことができる。
【００３１】
また、本実施形態では、２本の帯状の吊りベルト２ｃを収容部２ａに固定する例を示したが、本考案はこれに制限されるものではない。例えば、２本の吊りベルト２ｃを、収容部２ａの両側に配された巻き付け部２ｂにそれぞれ固定するようにしてもよい。このようにすれば、収容部２ａをバランスよく椅子の背もたれに吊り掛けることができる。また、吊りベルト２ｃを３本以上としてもよい。例えば、収容部２ａと、両側の巻き付け部２ｂとに１本ずつ、合計３本の吊りベルト２ｃを固定しておくことで、マッサージ機１０の椅子に対する固定状態を確実に維持することができる。さらに、帯状の吊りベルト２ｃに代えて、紐状とするようにしてもよいことはもちろんである。
【００３２】
更に、本実施形態では、吊りベルト２ｃをコードストッパ９に係止する例を示したが、本考案はこれに限定されるものではなく、収容部２ａの高さ位置を調整できるように吊りベルト２ｃを固定することができればよい。例えば、コードストッパ９に代えてフック状のものを取りつけておき、これに吊りベルト２ｃの端部を結びつけるようにしてもよい。
【００３３】
また更に、本実施形態では、マッサージ機１０の電力を外部電源から取り込む例を示したが、本考案はこれに限定されるものではない。例えば、充電式のバッテリを取り付けベルト２に内蔵するように構成することも可能である。このようにすれば、外部電源をとりにくい場所でもマッサージ機１０を使用することができる。
【産業上の利用可能性】
【００３４】
本考案は、家庭や職場で日常使用している椅子に容易に着脱することができ、マッサージを要する位置に適正に位置させることができるマッサージ機を提供するものであるため、マッサージ機の製造、販売に寄与するので、産業上の利用可能性を有する。
【符号の説明】
【００３５】
２、１２、２２  取り付けベルト（取り付け部材）
２ａ、１２ａ、２２ａ  収容部
２ｂ、１２ｂ、２２ｂ  巻き付け部
２ｃ、１２ｃ、２２ｃ  吊りベルト（吊り掛け部）
３ａ、３ｂ  係止部
４  本体
５  カバー（被覆部材）
６  揉み玉
９、１９  コードストッパ
１０、２０、３０  マッサージ機
５０  椅子
【図１】
0003180766.tif 000003
【図２】
0003180766.tif 000004
【図３】
0003180766.tif 000005
【図４】
0003180766.tif 000006
【図５】
0003180766.tif 000007